【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
各画素内に液晶分子の配向方向が異なる複数種類の配向領域が形成されているマルチドメイン垂直配向型の液晶表示パネルであって、
画素ユニットが複数配列されているとともに複数の走査配線と複数の信号配線が形成されており、各画素ユニットが対応する一つの走査配線と一つの信号配線によって制御されるアクティブマトリクス基板と、
アクティブマトリクス基板に対向しているとともに前記アクティブマトリクス基板に対向する共通電極が形成されている対向基板と、
アクティブマトリクス基板と対向基板との間に配置されている液晶層とを備え、
各画素ユニットに対向する液晶層は、第１領域群と第２領域群を含む少なくとも２つの領域群に区分されており、
前記各領域群には、すべての種類の前記配向領域が含まれており、
各画素ユニットは、前記領域群毎の液晶層に異なる有効電圧を印加することを特徴とする液晶表示パネル。
【請求項２】
前記画素ユニットは、
薄膜トランジスタと、
前記第１領域群に対向する位置に配置されているとともに、薄膜トランジスタに電気的に接続されている第１画素電極と、
前記第１画素電極に電気的に接続されている金属層と、
前記第２領域群に対向する位置に配置されているとともに、金属層と対向してコンデンサを形成している第２画素電極と、
を備えることを特徴とする請求項１の液晶表示パネル。
【請求項３】
前記画素ユニットは、前記金属層の下方に位置する共通配線をさらに備えていることを特徴とする請求項２の液晶表示パネル。
【請求項４】
前記画素ユニットは、
薄膜トランジスタと、
前記第１領域群に対向する位置に配置されているとともに、薄膜トランジスタに電気的に接続されている第１画素電極と、
薄膜トランジスタに電気的に接続されている抵抗体と、
前記第２領域群に対向する位置に配置されているとともに、抵抗体に電気的に接続されている第２画素電極と、
を備えることを特徴とする請求項１の液晶表示パネル。
【請求項５】
前記抵抗体は、前記薄膜トランジスタと同時に駆動されるトランジスタを有することを特徴とする請求項４の液晶表示パネル。
【請求項６】
前記アクティブマトリクス基板には共通配線が形成されており、
前記抵抗体は、そのゲートが共通配線に電気的に接続されているトランジスタを有しており、
前記薄膜トランジスタは、コンデンサを介して共通配線に電気的に接続されていることを特徴とする請求項４の液晶表示パネル。
【請求項７】
前記画素ユニットは、
薄膜トランジスタと、
薄膜トランジスタに電気的に接続されている画素電極と、
画素電極の前記第２領域群に対向する位置に形成されている誘電層と、
を備えることを特徴とする請求項１の液晶表示パネル。
【請求項８】
前記画素ユニットは、
第１薄膜トランジスタと、
第２薄膜トランジスタと、
第３薄膜トランジスタと、
前記第１領域群に対向する位置に配置されているとともに、第１薄膜トランジスタに電気的に接続されている第１画素電極と、
前記第２領域群に対向する位置に配置されているとともに、第２薄膜トランジスタに電気的に接続されている第２画素電極と、
前記第３薄膜トランジスタを介して前記第２薄膜トランジスタに電気的に接続されているコンデンサを備え、
前記第１薄膜トランジスタと第２薄膜トランジスタは、画素ユニットに対応する走査配線と信号配線に電気的に接続されており、
第３薄膜トランジスタは、その対応する走査配線の次の走査配線によって開閉されることを特徴とする請求項１の液晶表示パネル。
【請求項９】
前記コンデンサは、第１電極と、その第１電極に対向している第２電極とを備えており、
前記第１電極は、前記第１画素電極および前記第２画素電極と同じ材料で形成されており、
前記第２電極は、前記信号配線と同じ材料で形成されていることを特徴とする請求項８の液晶表示パネル。
【請求項１０】
前記画素ユニットは、
対応する走査配線に電気的に接続されている第１薄膜トランジスタと、
前記第１領域群に対向する位置に配置されており、前記第１薄膜トランジスタに電気的に接続されている第１画素電極と、
対応する信号配線と対応する走査配線の次の走査配線に電気的に接続されており、次の走査配線によって開閉される第２薄膜トランジスタと、
前記第２領域に対向する位置に配置されており、前記第１薄膜トランジスタと前記第２薄膜トランジスタとの間に電気的に接続されている第２画素電極と、
を備えることを特徴とする請求項１の液晶表示パネル。
【請求項１１】
各画素内に液晶分子の配向方向が異なる複数種類の配向領域が形成されているマルチドメイン垂直配向型の液晶表示パネルであって、
画素ユニットが複数配列されているアクティブマトリクス基板と、
共通電極層を有する対向基板と、
アクティブマトリクス基板と対向基板との間に配置されている液晶層とを備え、
各画素ユニットに対向する液晶層は、第１領域群と第２領域群に区分されており、
第１領域群と第２領域群のそれぞれには、すべての種類の前記配向領域が含まれており、
前記画素ユニットは、薄膜トランジスタと、その薄膜トランジスタに電気的に接続されている画素電極と、その画素電極上に配置されている複数の配向突起とを有し、
前記複数の配向突起は、前記第１領域群に対向する位置に形成されており、
前記画素電極には、前記第２領域群に対向する位置に複数のスリットが形成されていることを特徴とする液晶表示パネル。
【請求項１２】
各画素内に液晶分子の配向方向が異なる複数種類の配向領域が形成されているマルチドメイン垂直配向型の液晶表示パネルであって、
画素ユニットが複数配列されているアクティブマトリクス基板と、
共通電極層とこの共通電極層に設けられている複数の第１配向構造を有する対向基板と、
アクティブマトリクス基板と対向基板との間に配置されている液晶層とを備え、
各画素ユニットに対向する液晶層は第１領域群と第２領域群に区分されており、
第１領域群と第２領域群のそれぞれには、すべての種類の前記配向領域が含まれており、
前記各画素ユニットは、薄膜トランジスタと、その薄膜トランジスタに電気的に接続されている画素電極と、その画素電極に設けられている複数の第２配向構造とを有しており、
前記第１配向構造からその一方側に隣接する前記第２配向構造までの第１間隔と、前記第１配向構造からその他方側に隣接する前記第２配向構造までの第２間隔とが、異なることを特徴とする液晶表示パネル。
【請求項１３】
前記第１配向構造からその一方側に隣接する前記第２配向構造までの領域が前記第１領域群に含まれており、
前記第１配向構造からその他方側に隣接する前記第２配向構造までの領域が前記第２領域群に含まれていることを特徴とする請求項１２の液晶表示パネル。
【請求項１４】
前記第１配向構造は、配向突起であることを特徴とする請求項１２又は１３の液晶表示パネル。
【請求項１５】
前記第２配向構造は、スリットであることを特徴とする請求項１２から１４のいずれかの液晶表示パネル。
【請求項１６】
前記第１間隔と前記第２間隔との差が１マイクロメートル以上であることを特徴とする請求項１２から１５のいずれかの液晶表示パネル。
【請求項１７】
前記第１間隔と前記第２間隔との差が１０マイクロメートル以上であることを特徴とする請求項１２から１５の液晶表示パネル。